(57)【特許請求の範囲】
【請求項１】
安全弁を備える複数の電池をケースに収納する電源装置であって、  
前記複数の電池を収納する電池室と、この電池室に収納される電池の前記安全弁の開口部から排出されるガスを排気する排気室とに前記ケース内を区画する区画壁を備え、
該区画壁は、前記ガスを前記電池室に流入させることなく前記排気室に流入させて、前記排気室からケース外へ排出するように構成され、
さらに、前記ケースに内蔵される回路基板を備え、該回路基板は、ポッティングにより、絶縁樹脂に埋設されることを特徴とする電源装置。
【請求項２】
請求項１記載の電源装置において、
前記区画壁は、前記安全弁から排出されるガスを排気室に流入させる貫通部を開口すると共に、該貫通部の周囲に電池端部を気密に連結させることを特徴とする電源装置。
【請求項３】
請求項１または請求項２記載の電源装置において、
前記電池室は、前記ケースの下部に位置し、前記排気室は、前記ケースの上部に位置すると共に、
前記回路基板は、前記排気室に収納されることを特徴とする電源装置。
【請求項４】
請求項１または請求項２記載の電源装置において、
前記電池室は、前記ケースの上部に位置し、前記排気室は、前記ケースの下部に位置すると共に、
前記回路基板は、前記電池室に収納されることを特徴とする電源装置。
【請求項５】
請求項１または請求項２記載の電源装置において、
前記排気室を密閉構造とすると共に、該排気室に流入したガスを前記ケースの外部へ排出する排出口を設け、
さらに、前記排出口に連結される排出弁を備えると共に、
該排出弁は、排気室の内圧が設定圧力になると開弁して前記排気室内のガスを排気するように構成されることを特徴とする電源装置。
【請求項６】
請求項１または請求項２記載の電源装置において、
消化剤または不活性流体を排気室に噴射する消火器を備える電源装置。
【請求項７】
請求項６記載の電源装置において、
前記排気室を密閉構造とすると共に、前記排気室の内圧を検出する圧力センサーを備え、前記消火器を前記圧力センサーで制御して、排気室の内圧が設定圧力よりも高くなると、前記消火器が前記排気室内に消化剤または不活性流体を噴射するように構成されることを特徴とする電源装置。
【請求項８】
請求項６記載の電源装置において、
前記電池が前記安全弁の開弁を検出する開弁センサーを備え、
前記消火器を、前記電池に設けている前記開弁センサーで制御して、前記電池の前記安全弁が開弁すると、前記消火器が前記排気室に消化剤または不活性流体を噴射するように構成されることを特徴とする電源装置。
【発明の詳細な説明】
【技術分野】
【０００１】
本発明は、ケースに電池を内蔵する電源装置に関し、とくに電池の安全弁が開弁する状態における安全性を向上できる電源装置に関する。
【背景技術】
【０００２】
電池をケースに収納している車両用等に使用される電源装置は、電池が異常な状態で充放電されるときに、電池に設けた安全弁を開弁する。安全弁は、ガスや電解液を排出して、外装缶の破裂を防止する。電池から排出されるガスは、電池の種類により異なり、たとえばリチウムイオン二次電池は、開弁された安全弁から酸素を含むガスを排出する。また、ニッケル水素電池は、水素を含むガスを排出する。安全弁が開いて、ケース内にガスが噴射される状態は、電池が異常な状態で使用されることから、電池温度も異常に高温に過熱されることがある。ケース内に充満するガスと、電池の過熱は電源装置の安全性を低下させる。とくに、異常な状態では電池温度が数百度に上昇して、火災の原因となることもある。
【０００３】
電池の過熱による危険な状態を解消するために、密閉されたケース内に不活性ガス等の不活性な物質を充填する電源装置が開発されている。（特許文献１参照）
また、ケース内の異常発熱を防止するために、ケース内に不活性ガス発生物質や消火器を内蔵する電源装置が開発されている。（特許文献２及び３参照）
【先行技術文献】
【特許文献】
【０００４】
【特許文献１】特開平１０−５５８２２号公報
【特許文献２】特開２００１−３３２２３７号公報
【特許文献３】特開平１０−２４７５２７号公報
【発明の概要】
【発明が解決しようとする課題】
【０００５】
特許文献１の公報には、複数の電池をケースに収納すると共に、このケース内に窒素、ヘリウム、アルゴン、ネオン、クリプトン、キセノン、二酸化炭素等の不活性ガス、あるいは不燃性の非水溶媒、あるいは、液状またはゲル状または固形状の高分子を満たして、かつ、ケースを密閉している電源装置が記載される。この構造の電源装置は、電池が異常な状態となってケース内にガスが噴射されても、電池の周囲を不活性な物質で囲んでいるので、電源装置が危険な状態となるのを緩和できる特長がある。
【０００６】
さらに、特許文献２に記載される電源装置は、複数の電池をケースに収納すると共に、このケース内に熱分解で不活性ガスを発生させる物質を収納している。この電源装置は、ケースに収納している電池が異常発熱すると、不活性ガス発生物質が熱分解されてケース内に不活性ガスを発生させる。したがって、電池が過熱されるときに、電池の周囲に不活性ガスを満たして、電源装置が危険な状態となるのを緩和できる。
【０００７】
しかしながら、これらの電源装置は、異常電池から排出されるガスがケース内に満たされるので、排出されたガスが異常発熱している電池の周囲に存在する環境となることに変わりはない。このように、電池から排出される酸素や水素を含むガスが、電池を収納しているケース内に充満される状態は、電池温度が数百度に上昇する極めて異常な状態を考えると、決して好ましい状態ではない。
【０００８】
また、特許文献２の電源装置においては、不活性ガス発生物質の熱分解が始まる温度や反応速度等の設定が難しく、電池の異常発熱時に、最適なタイミングで不活性ガスを発生させるのが極めて難しい問題点もある。
【０００９】
本発明は、このような欠点を解決することを目的に開発されたものである。本発明の第１の目的は、電池が異常な状態となってケース内にガスが噴射される場合においても、過熱された電池から受ける影響を極減して安全性を向上できる電源装置を提供することにある。
【００１０】
さらにまた、特許文献３に記載される電源装置は、ケースに収納している電池が異常発熱し、ケース内の温度が許容値を超えた場合、消火器等の異常発熱低減手段の起動操作手段であるレバーを押し下げて、二酸化炭素のガス圧で炭酸水素ナトリウムを主成分とする粉末を筐体内に放出させる。炭酸水素ナトリウムは高温に加熱されると吸熱して、二酸化炭素と水蒸気を発生し、筐体内の温度を下げるとともに、不活性雰囲気に保ち、火災の発生を防止したり、燃焼反応を終了させる。
【００１１】
この装置は、消火器等の異常発熱低減手段を手動で作動させ、あるいは、温度センサー、煙センサー、ガスセンサー、炎センサー等で作動させる。非水電解液電池は、異常発熱するとき、初期の段階では電池の表面温度の上昇、次の段階では安全弁の作動による非水電解液や発生ガスの電池からの放出が起こり、最終段階では発火現象が起こり、火災の発生まで至ることになる。
【００１２】
消火器を手動で動作させる装置は、ユーザーが最適なタイミングで消火剤を噴射するのが難しい。とくに、車両に使用される電源装置のように、使用されるユーザー層の範囲が広い場合、全てのユーザーが最適なタイミングで消火器を動作できない。また、温度センサー、煙センサー、ガスセンサー、炎センサー等で消火器を動作させる装置も、簡単な検出では理想的なタイミングで消火剤を噴射できない。たとえば、温度センサーで消火器を動作させる場合、全ての電池温度を検出して、いずれかの電池温度が設定温度よりも高くなるときに、消火器を動作させる必要がある。この機構は、たとえば１００個以上の電池をケースに収納する車両用の電源装置等においては、各々の電池温度を温度センサーで検出する必要があるので、電池温度の検出回路が極めて複雑になる。特定の電池温度を検出して消火器を動作させる場合、温度が検出されない電池の温度が異常状態となるときに、正確なタイミングで消火器を動作できない。また、煙センサーやガスセンサーで消火器を動作させる装置は、センサーの配置部分によって、常に正しく消火器を正確なタイミングで動作できない。それは、センサーを配置する部分に煙やガスが流れるときには正確に検出できても、センサーを配置しない部分の煙やガスを検出できないからである。また、炎センサーで消火器を動作させる装置は、火炎を検出した後に消火器を動作させるので、タイミングが遅れる欠点がある。
【００１３】
本発明は、さらにこの欠点を解決することを目的に開発されたものである。本発明の第２の目的は、簡単な構造で電池異常を正確に速やかに検出して消火器を動作でき、消火器からケース内に効果的に消火剤を噴射できる電源装置を提供することにある。
【課題を解決するための手段】
【００１４】
本発明の電源装置は、前述の目的を達成するために以下の構成を備える。
【００１５】
安全弁を備える複数の電池をケースに収納する電源装置であって、前記複数の電池を収納する電池室と、この電池室に収納される電池の前記安全弁の開口部から排出されるガスを排気する排気室とに前記ケース内を区画する区画壁を備え、該区画壁は、前記ガスを前記電池室に流入させることなく前記排気室に流入させて、前記排気室からケース外へ排出するように構成され、さらに、前記ケースに内蔵される回路基板を備え、該回路基板は、ポッティングにより、絶縁樹脂に埋設される。
【００１６】
前記区画壁は、前記安全弁から排出されるガスを排気室に流入させる貫通部を開口すると共に、該貫通部の周囲に電池端部を気密に連結させることができる。
【００１７】
前記電池室は、前記ケースの下部に位置し、前記排気室は、前記ケースの上部に位置すると共に、前記回路基板は、前記排気室に収納されるように構成することができる。
【００１８】
前記電池室は、前記ケースの上部に位置し、前記排気室は、前記ケースの下部に位置すると共に、前記回路基板は、前記電池室に収納されるように構成することができる。
【００１９】
前記排気室を密閉構造とすると共に、該排気室に流入したガスを前記ケースの外部へ排出する排出口を設け、さらに、前記排出口に連結される排出弁を備えると共に、該排出弁は、排気室の内圧が設定圧力になると開弁して前記排気室内のガスを排気するように構成
することができる。
【００２０】
前記電源装置は、消化剤または不活性流体を排気室に噴射する消火器を備えることができる。
【００２１】
ただし、本明細書は、消火器を、火災を消火するものに限定しない。本明細書において、消火器とは、消火剤または不活性流体を噴射して、発火や引火を防止し、あるいは、異常な高温となるのを防止する広い意味で使用する。
【００２２】
前記電源装置は、前記排気室を密閉構造とすると共に、前記排気室の内圧を検出する圧力センサーを備え、前記消火器を前記圧力センサーで制御して、排気室の内圧が設定圧力よりも高くなると、前記消火器が前記排気室内に消化剤または不活性流体を噴射するように構成することができる。
【００２３】
前記電源装置は、前記電池が前記安全弁の開弁を検出する開弁センサーを備え、前記消火器を、前記電池に設けている前記開弁センサーで制御して、前記電池の前記安全弁が開弁すると、前記消火器が前記排気室に消化剤または不活性流体を噴射するように構成することができる。
【発明の効果】
【００２４】
本発明の電源装置は、電池が異常な状態となってケース内にガスが噴射される場合においても、過熱された電池から受ける影響を極減して安全性を向上できる特長がある。それは、本発明の電源装置が、複数の電池を収納しているケースを、区画壁でもって、電池を収納している電池室と、電池から排出されるガスを排気する排気室とに区画すると共に、電池室に配設される電池の安全弁の開口部を排気室に連通させており、電池の安全弁から排出されるガスを、電池室に流入させることなく排気室に流入させて、排気室からケース外に排出するからである。この構造の電源装置は、異常電池から排出されるガスを電池室に流入させないので、排出されたガスが異常発熱している電池の周囲に充満されるのを確実に阻止でき、過熱された電池から受ける影響を極減して安全性を向上できる。さらに、回路基板をポッティング樹脂に埋設しているので、回路基板を電池から排出されるガス等の流体から保護できる。このため、電池の安全弁が開弁する異常な状態においても、回路基板に実装している制御回路を正常に動作させて、安全性を向上できる。
【００２５】
また、本発明の請求項６の電源装置は、消火器からは密閉構造の排気室内に消火剤または不活性流体を噴射するので、消火剤や不活性流体を有効に作用させて、効果的に消火できる特徴も実現する。
【００２６】
さらに、本発明の請求項７の電源装置は、簡単な構造で電池異常を正確に速やかに検出して消火器を動作でき、消火器からケース内に効果的に消火剤を噴射できる特長がある。それは、この電源装置が、排気室を密閉構造とすると共に、排気室の内圧を検出する圧力センサーで消火器を制御して、排気室の内圧が設定圧力よりも高くなると、消火器が排気室内に消火剤または不活性流体を噴射するようにしているからである。この電源装置は、排気室内の圧力で電池の異常を検出して消火器を動作させるので、従来の温度センサーや煙センサー、ガスセンサー、炎センサー等のセンサーで電池の異常を検出する装置のように、センサーの配置位置によって消火器の動作タイミングがずれることがなく、電池異常が発生して、電池の安全弁からガスが排出されると、このことを確実に検出できる特徴がある。
【００２７】
さらに、本発明の請求項８の電源装置は、電池異常を極めて正確に、しかも速やかに検出して消火器を動作でき、消火器からケース内に効果的に消火剤を噴射できる特長がある。それは、この電源装置が、電池に安全弁の開弁を検出する開弁センサーを設けて、開弁センサーで消火器を制御するからである。この電源装置は、電池が異常な状態になって安全弁が開弁されると、開弁センサーが安全弁の開弁を検出して、消火器が消火剤を噴射する。この電源装置は、電池の安全弁の開弁を開弁センサーで検出して消火器を動作させるので、従来の温度センサーや煙センサー、ガスセンサー、炎センサー等のセンサーで電池の異常を検出する装置のように、消火器の動作タイミングがずれることがなく、電池異常が発生して安全弁が開弁すると、極めて正確なタイミングで消火剤を噴射できる。また、消火器からは密閉構造の排気室内に消火剤または不活性流体を噴射するので、消火剤や不活性流体を有効に作用させて、効果的に消火できる特徴も実現する。
【図面の簡単な説明】
【００２８】
【図１】本発明の一実施例にかかる電源装置の概略断面図である。
【図２】本発明の他の実施例にかかる電源装置の概略断面図である。
【図３】本発明の他の実施例にかかる電源装置の概略断面図である。
【図４】本発明の他の実施例にかかる電源装置の概略断面図である。
【図５】本発明の他の実施例にかかる電源装置の概略断面図である。
【図６】本発明の他の実施例にかかる電源装置の概略断面図である。
【図７】排気室に設ける排出弁の一例を示す拡大断面図である。
【図８】排気室に設ける排出弁の他の一例を示す拡大断面図である。
【発明を実施するための形態】
【００２９】
以下、本発明の実施例を図面に基づいて説明する。ただし、以下に示す実施例は、本発明の技術思想を具体化するための電源装置を例示するものであって、本発明は電源装置を以下のものに特定しない。
【００３０】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００３１】
図１ないし図６に示す電源装置は、安全弁１０を備える複数の電池１をケース２に収納している。これらの電源装置は、ケース２内を区画壁３でもって、複数の電池１を収納している電池室４と、この電池室４に収納される電池１の安全弁１０から排出されるガスを排気する排気室５とに区画している。
【００３２】
電池１は、内圧が上昇するときに開弁する安全弁１０を備える。安全弁１０は、電池１の内圧が設定圧力よりも高くなると開弁する。安全弁１０が開弁されると、開口部１１からガスや電解液が排出されて、内圧上昇が阻止される。この電池１は、安全弁１０を開弁して外装缶１２の破裂を防止する。電池１はリチウムイオン二次電池である。ただ、本発明の電源装置は、電池をリチウムイオン二次電池には特定しない。電池には、ニッケル水素電池やニッケルカドミウム電池等の充電できる全ての電池を使用できる。
【００３３】
複数の電池１は、軸方向に平行に並べて電池室４に収納している。電池室４に配設される複数の電池１は、安全弁１０の開口部１１を排気室５に連通するように配設している。電池１の安全弁１０が開弁されて、安全弁１０から排出されるガスを、電池室４に流入させることなく排気室５に流入させるためである。図の電源装置は、安全弁１０を有する側の電池端部を区画壁３に密着させると共に、区画壁３に設けた貫通部６を介して安全弁１０の開口部１１を排気室５に連通させている。
【００３４】
区画壁３は、非通気性の隔壁で、ケース２の内部を電池室４と排気室５とに区画している。さらに、区画壁３は、電池室４に配設される複数の電池１の電池端部に対向する位置に、安全弁１０から排出されるガスを排気室５に流入させる貫通部６を開口している。区画壁３は、この貫通部６の周囲に電池端部を気密に連結して、安全弁１０の開口部１１から排出されるガスを、電池室４に流入させることなく排気室５に流入させるようにしている。
【００３５】
図１ないし図４の電源装置は、ケース２内の上側に電池室４を設けて、下側に排気室５を設けている。これらの電源装置は、複数の電池１を、区画壁３の上に載せて電池室４に並べて収納している。これらの図に示す電池１は、電池１の下側の端部に安全弁１０を設けている。図の電池１は、外装缶１２の底に安全弁１０を設けている。この安全弁１０は、電池１の内圧が設定圧力よりも高くなると破壊して開弁するもので、たとえば、図の一部拡大断面図に示すように、外装缶１２の金属板を部分的に薄くして、設定圧力で破壊されるようにしている。ただ、本発明は安全弁をこの構造には特定しない。安全弁には、内圧が設定圧力よりも高くなると開弁する全ての構造とすることができる。
【００３６】
図１ないし図４に示す区画壁３の貫通部６は排気孔６Ａで、この排気孔６Ａを電池１の安全弁１０の開口部１１に対向して開口している。図に示す装置は、安全弁１０の開口部１１の周囲を区画壁３の排気孔６Ａの周囲に気密に固定して、電池端部を区画壁３に密着状態で固定している。電池端部は、区画壁３との間にシリコン等のシール剤や接着剤を塗布して、気密に連結している。この連結構造は、安全弁１０の開口部１１から排出されるガス等の流体を、電池室４内に流入させることなく排気孔６Ａから排気室５に流入できる。
【００３７】
図１の装置は、外装缶１２の底面である電池端面を、区画壁３の上面であって、排気孔６Ａの周囲に接着して密着状態に固定している。図２と図３に示す装置は、区画壁３の上面に、電池端部を挿入する凹部７を設けている。これらの装置は、凹部７に電池端部を挿入すると共に、凹部７の内面に電池端部を接着して固定している。図２に示す区画壁３は、電池端部を挿入できる凹部７を有する凹凸形状に成形して、この凹部７の中心に排気孔６Ａを開口している。さらに、図３に示す区画壁３は、排気孔６Ａの周囲にリブ８を設けて、電池端部を挿入する凹部７を成形している。
【００３８】
さらに、図４に示す電池１は、安全弁１０を有する側の電池端部にキャップ９を連結しており、このキャップ９を区画壁３に気密に固定している。キャップ９は、プラスチックまたはゴム等の絶縁材を成形して製作される。キャップ９は、電池端部を挿入できる周壁を備え、この周壁の内形を電池１の外形にほぼ等しくして、周壁と電池１の表面との隙間にシリコン等のシール剤や接着剤を塗布して、周壁を電池１の表面に気密に連結している。さらに、キャップ９は、端面に安全弁１０の開口部１１を外部に表出させる中心孔９Ａを開口している。キャップ９を連結している電池１は、キャップ９の端面を区画壁３に接着し、あるいは、キャップの端部を凹部に挿入して凹部とキャップの間にシリコン等のシール剤や接着剤を塗布して、区画壁３に気密に連結している。電池１の安全弁１０から排出されるガス等の流体は、キャップ９の中心孔９Ａと貫通部６である排気孔６Ａを通過して排気室５に流入される。このように、キャップを介して電池端部を区画壁３の貫通部６に気密に連結する構造は、安全弁１０から排出されるガス等が電池室４に流入するのを有効に防止できる。
【００３９】
図５と図６の電源装置は、ケース２内の上側に排気室５を設けて、下側に電池室４を設けている。この電源装置は、複数の電池１を、電池室５の底面の上に載せて電池室４に並べて収納している。これらの図に示す電池１は、電池１の上側の端部に安全弁１０を設けている。図の電池１は、外装缶１２の開口部を閉塞する封口板１３に安全弁１０を設けている。この安全弁１０は、図の一部拡大断面図に示すように、弾性体１４で弁体１５を弁座１６に押圧しており、電池１の内圧が設定圧力よりも高くなると、弁体１５が弁座１６から離れて開弁される。封口板１３は、凸部電極１７の両側に開口部１１を開口しており、安全弁１０が開弁すると、開口部１１からガスや電解液を排出する。
【００４０】
図５に示す区画壁３の貫通部６は排気孔６Ａで、この排気孔６Ａを電池１の安全弁１０の開口部１１に対向して開口している。図に示す装置は、安全弁１０の開口部１１の周囲を区画壁３の排気孔６Ａの周囲に気密に固定して、電池端部を区画壁３に密着状態で固定している。図の電池１は、凸部電極側の端部にキャップ９を装着しており、このキャップ９の周壁と電池１の表面との隙間にシリコン等のシール剤や接着剤を塗布して気密に連結すると共に、キャップ９の端面と区画壁３との間にシリコン等のシール剤や接着剤を塗布して区画壁３に気密に連結している。このキャップ９には前述のキャップと同じものが使用できる。
【００４１】
図６に示す区画壁３の貫通部６は挿通孔６Ｂで、この挿通孔６Ｂに安全弁１０を備える電池端部を貫通して挿入し、安全弁１０の開口部１１を排気室５内に連通している。図に示す装置は、電池１の凸部電極側の端部にキャップ９を装着しており、このキャップ９の外周面を挿通孔６Ｂの内面に気密に固定して、電池端部を区画壁３に密着状態で固定している。挿通孔６Ｂの内形は、キャップ６の外形にほぼ等しくしており、キャップ９の周壁と区画壁３の挿通孔６Ｂの内面との隙間にシリコン等のシール剤や接着剤を塗布して気密に連結している。このキャップ９には前述のキャップと同じものが使用できる。図示しないが、キャップは、外周面に沿って凸条を設けて、この凸条を挿通孔の周縁部に密着させてより気密に固定することもできる。
【００４２】
以上の構造で、電池１の安全弁１０の開口部１１を排気室５に連通させて配設する電源装置は、電池１が異常な温度となって安全弁１０が開弁されると、排出されるガス等の流体が排気室５に流入される。安全弁１０から排出されるガスは、電池室４に流入されることなく排気室５に流入されて、排気室５からケース２外に排出される。
【００４３】
図に示す排気室５は、密閉構造としている。密閉構造の排気室５は、ここに連通されて表出する電池端部を、ゴミや水分、さらに塩分から保護できる。このため、電池端部にゴミが付着し、さらにこのゴミが結露して湿潤な状態となり、あるいは塩分を含む状態で湿潤となって、金属部分を腐食させるのを確実に防止できる。したがって、電池を高湿度な環境で使用し、あるいは塩分の多い環境で使用しながら、寿命を長くできる特徴がある。ただ、排気室は、密閉構造とすることなく開口部を設けて、外部に開放することもできる。この排気室は、電池から排出されるガスを、開口部からケース外に排出する。
【００４４】
密閉構造の排気室５は、排出口１８を設けており、電池１の安全弁１０から排出されて排気室５に流入されるガスを、排出口１８からケース２の外部に排出する。排出口１８は排出弁１９を有する。排出弁１９は正常時には閉弁されて、排気室５を密閉状態に保持する。排出弁１９は、排気室５の内圧が設定圧力になるときに開弁されて、排気室５内のガスを外部に排出する。この排出弁１９は、排気室５内の圧力が設定圧力よりも高くなると破壊されて開弁される破壊弁とすることができる。ただ、排出弁は、安全弁が開弁されたことを検出して動作するアクチュエータで開弁させる開閉弁とすることもできる。
【００４５】
図７と図８は、排出弁１９の具体例を示す。図７の排出弁１９は、ケース２の外壁の一部を薄くしたものである。この排出弁１９は、排気室５内の内圧が設定圧力よりも高くなると、排気室５の薄い部分が破壊されて、排出弁１９を開弁状態とする。この排出弁１９は、構造を簡単にできる。図８の排出弁１９は、ケース２の外壁の一部に貫通孔２９を設けて、この貫通孔２９を弁膜３０で閉塞する。弁膜３０は、溶接または接着等の方法でケース２の外壁に連結されて、貫通孔２９を気密に閉塞する。この排出弁１９は、排気室５内の内圧が設定圧力よりも高くなると弁膜３０が外れ、あるいは破壊されて開弁する。
【００４６】
さらに、図３ないし図５に示す電源装置は、電池１が異常な状態となって安全弁１０からガス等の流体が排出されるとき、密閉構造の排気室５内に消火剤または不活性流体を噴射する消火器２０を備えている。図の排気室５は、消火器２０を連結するための連結口２１を有し、この連結口２１には、消火剤や不活性流体の導入弁２２を設けている。導入弁２２は、正常時には閉弁されて、排気室５を密閉状態に保持している。消火器２０は、消火剤または不活性流体を噴射する噴射口２３を連結口２１に連結している。消火器２０から消火剤や不活性流体が噴射されるとき、導入弁２２が開弁されて、消火器２０から噴射される消火剤や不活性流体をケース２内に供給する。図の導入弁２２は、たとえば消火器２０から噴射される消火剤や不活性流体で破壊される破壊弁である。ただし、導入弁は、消火器を動作状態とするアクチュエータで開弁される開閉弁とすることもできる。
【００４７】
図３ないし図５の電源装置は、排気室５の排出口１８と連結口２１とを対向位置に配置している。この電源装置は、連結口２１から供給される消火剤や不活性流体を排気室５全体に通過させて、排出口１８から排出できる。この構造は、消火器２０から噴射される消火剤や不活性流体によって、電池１から供給されるガス等の流体による火災を速やかに消火し、あるいは、電池１から供給されるガス等の流体が発火するのを有効に防止する。さらに、この状態で、排出口１８の排出弁１９が開弁されて、排気室５からガス等の流体が速やかにケース２外に排出される。
【００４８】
図３と図５の消火器２０は、密閉された排気室５の内圧を検出する圧力センサー２４に制御されて、排気室５の内圧が設定圧力よりも高くなると、排気室５内に消火剤または不活性流体を噴射する。図の電源装置は、圧力センサー２４で排気室５の圧力を検出する。圧力センサー２４は、消火器２０を動作させるアクチュエータ２５に連結している。
【００４９】
図４の消火器２０は、安全弁１０の開弁を検出する開弁センサー２６に制御されて、電池１の安全弁１０が開弁すると、排気室５内に消火剤または不活性流体を噴射する。図に示す電池１は、安全弁１０の開弁を検出する開弁センサー２６を備えている。この開弁センサーとして、たとえば、図示しないが、安全弁の弁部に配線を施し、弁作動によって配線が断線することで開弁を検知するセンサー等が使用できる。ただ、開弁センサーは、安全弁が開弁したことを検出できる他の全てのセンサーが使用できる。
【００５０】
さらに、本発明の電源装置は、消火器の動作を制御するセンサーとして、圧力センサーや開弁センサー以外のセンサーを使用することもできる。たとえば、電源装置は、温度センサー、煙センサー、ガスセンサー、炎センサー等のセンサーで電池室に収納された電池の異常や排気室の異常を検出して消火器を作動させることもできる。
【００５１】
アクチュエータ２５は、圧力センサー２４または開弁センサー２６からの信号で、排気室５内の圧力が設定圧力以上に上昇すると、消火器２０を操作して、消火剤または不活性流体を排気室５内に噴射させる。不活性流体は、窒素ガスや炭酸ガス等の不活性ガス、あるいは、絶縁オイル等の不活性液体である。消火器２０は、たとえば、圧縮ボンベに、炭酸ガス等の不活性ガスを充填している。この消火器２０は、充填している炭酸ガス等の不活性なガス圧で、炭酸水素ナトリウムを主成分とする粉末等の消火剤を排気室５内に噴射する。ただ、本発明は、消火器が噴射する消火剤を、炭酸水素ナトリウムを主成分とする粉末には特定しない。消火剤には、排気室内に噴射して、電池から排出されるガス等の流体を消火し、あるいは電池から排出されるガス等の流体の発火を防止し、あるいはまた、電池から排出されるガス等の流体を安全に外部に排出できる他の全てのものを使用できるからである。
【００５２】
さらに、密閉構造の排気室５は、その内部に、不活性流体を充填することができる。不活性流体は、窒素ガスや炭酸ガス等の不活性ガス、あるいは、絶縁オイル等の不活性液体である。このように排気室５に不活性流体を充填する電源装置は、排気室５内に充填される不活性流体でもって安全性をより高くできる特長がある。とくに、排気室５内に付活性ガスを充填して、電池１から可燃性ガスが排出されるときに、消火器２０から消火剤や不活性流体を噴射して、可燃性ガスをケース２外に排出する電源装置は、極めて安全性を高くできる。
【００５３】
図１ないし図４、及び図６の電源装置は、電池１の端部をポッティングして樹脂２７に埋設している。ポッティング樹脂２７は、たとえばシリコン樹脂等の絶縁性のある樹脂である。端部をポッティング樹脂２７に埋設する電池１は、ポッティングされない位置に安全弁１０の開口部１１を設ける。図１ないし図４の電池１は、外装缶１２の底部に安全弁１０の開口部１１を設け、図６の電源装置は、封口板１３に安全弁１０の開口部１１を設けている。
【００５４】
さらに、図の電源装置は、ケース２内に回路基板２８を収納している。図１ないし図４の電源装置は電池室４に、図５と図６の電源装置は排気室５に、それぞれ回路基板２８を収納している。回路基板２８は、各々の電池１の電圧や温度を検出して、電池１の充放電をコントロールする制御回路を実装している。回路基板２８は、電池１の上方に水平な姿勢で配置されて、ポッティング樹脂２７に埋設される。図１ないし図４の電源装置は、電池室４の上部にポッティング樹脂２７を充填して、回路基板２８をポッティング樹脂２７に埋設し、さらに電池１の上部もポッティング樹脂２７に埋設している。この電源装置は、回路基板２８と電池１の両方をポッティング樹脂２７で絶縁しながら定位置に保持できる。図５と図６の電源装置は、排気室の上部にポッティング樹脂２７を充填して、回路基板２８をポッティング樹脂２７に埋設している。この電源装置は、回路基板２８を、電池１から排出されるガス等の流体から保護できる。このため、電池１の安全弁１０が開弁する異常な状態においても、回路基板２８に実装している制御回路を正常に動作させて、安全性を向上できる。
【００５５】
電池室は、密閉構造とすることができる。密閉構造の電池室は、回路基板や電池を外部から遮断できるので、電池室内に収納される回路基板や電池をゴミと水分と塩分から有効に保護できる。さらに、密閉構造の電池室は、不活性流体を充填することもできる。ただ、図示しないが、電池室は、冷却用のダクトを連結すると共に、このダクトを介して冷却媒体を循環させて電池を冷却することもできる。
【００５６】
図１、図２及び図５の電源装置は、以下の動作をして、電池１から排出されるガス等の流体をケース２の外部に排出する。
（１）  電池１の内圧が高くなると安全弁１０が開弁して、ガスや電解液等の流体を排出する。
（２）  排出されるガス等の流体は、電池室４に流入することなく排気室５に排出される。
（３）  排気室５に流入されるガス等の流体は、排気室５内の圧力を上昇させる。
（４）  排気室５内の圧力が設定圧力よりも高くなると、排出口１８に設けている排出弁１９が内圧で破壊されて開弁する。
（５）  排気室５内のガスが開弁された排出口１９からケース外に排出される。
【００５７】
図３及び図６の電源装置は、以下の動作をして、電池１から排出されるガス等の流体をケース２の外部に排出する。
（１）  電池１の内圧が高くなると安全弁１０が開弁して、ガスや電解液等の流体を排出する。
（２）  排出されるガス等の流体は、電池室４に流入することなく排気室５に排出される。
（３）  排気室５に流入されるガス等の流体は、排気室５内の圧力を上昇させる。
（４）  排気室５内の圧力が設定圧力よりも高くなると、このことを圧力センサー２４が検出して、アクチュエータ２５が消火器２０を動作させて、消火剤または不活性流体の噴射状態とする。
（５）  消火器２０から消火剤または不活性流体が噴射されると、連結口２１の導入弁２２が破壊されて開弁し、消火剤または不活性流体が排気室５内に噴射される。
（６）  噴射される消火剤または不活性流体は、電池１から排出されたガス等の流体をケース２外に一気に排出する。このとき、排出口１８に設けている排出弁１９も内圧で破壊されて開弁される。
【００５８】
図４の電源装置は、以下の動作をして、電池１から排出されるガス等の流体をケース２の外部に排出する。
（１）  電池１の内圧が高くなると安全弁１０が開弁して、ガスや電解液等の流体を排出する。
（２）  排出されるガス等の流体は、電池室４に流入することなく排気室５に排出される。
（３）  電池１の安全弁１０が開弁したことを開弁センサー２６が検出して、アクチュエータ２５が消火器２０を動作させて、消火剤または不活性流体の噴射状態とする。
（４）  消火器２０から消火剤または不活性流体が噴射されると、連結口２１の導入弁２２が破壊されて開弁し、消火剤または不活性流体が排気室５内に噴射される。
（５）  噴射される消火剤または不活性流体は、電池１から排出されたガス等の流体をケース２外に一気に排出する。このとき、排出口１８に設けている排出弁１９も内圧で破壊されて開弁される。
【符号の説明】
【００５９】
１…電池
２…ケース
３…区画壁
４…電池室
５…排気室
６…貫通部              ６Ａ…排気孔
６Ｂ…挿通孔
７…凹部
８…リブ
９…キャップ            ９Ａ…中心孔
１０…安全弁
１１…開口部
１２…外装缶
１３…封口板
１４…弾性体
１５…弁体
１６…弁座
１７…凸部電極
１８…排出口
１９…排出弁
２０…消火器
２１…連結口
２２…導入弁
２３…噴射口
２４…圧力センサー
２５…アクチュエータ
２６…開弁センサー
２７…樹脂
２８…回路基板
２９…貫通孔
３０…弁膜
【図１】
0005341156.tif 000002
【図２】
0005341156.tif 000003
【図３】
0005341156.tif 000004
【図４】
0005341156.tif 000005
【図５】
0005341156.tif 000006
【図６】
0005341156.tif 000007
【図７】
0005341156.tif 000008
【図８】
0005341156.tif 000009